(57)【特許請求の範囲】
【請求項１】
発射部に供給された打球を駆動発射させる打球部が設けられた打球杆において、打球時及び非打球時に打球杆の回転規制を行うそれぞれのストッパをへ字状をした一体の部品で構成して該へ字状の一片部を非打球時用ストッパとすると共にへ字状の他片部を打球時用ストッパ部とし、打球杆に回転中心から打球部と反対側に当たり用突部を突設し、当たり用突部の打球時用ストッパ部と対向する面が打球時用当たり部となり、打球杆の回転中心からやや打球部側寄りの部位の非打球時用ストッパ部と対向する面を非打球時用当たり部として成ることを特徴とする電動式打球発射装置。
【請求項２】
非打球時における打球杆の位置を変化させることなく、打球時の打球杆の位置を調整可能なストッパを設けて成ることを特徴とする請求項１記載の電動式打球発射装置。
【請求項３】
ストッパ部に非打球時用ストッパ部と打球時用ストッパ部とを設け、非打球時用ストッパ部と打球時用ストッパ部とを弾性体により形成して成ることを特徴とする請求項１または請求項２記載の電動式打球発射装置。
【請求項４】
打球杆にストッパとの当接部分である非打球時用当たり部及び打球時用当たり部を設け、この非打球時用当たり部及び打球時用当たり部に弾性体を設けて成ることを特徴とする請求項１乃至請求項３のいずれかに記載の電動式打球発射装置。
【請求項５】
ストッパを打球杆の回転中心に近い位置に配置して成ることを特徴とする請求項１乃至請求項４のいずれかに記載の電動式打球発射装置。
【発明の詳細な説明】
【０００１】
【発明の属する技術分野】
本発明は、パチンコ遊技機に用いられる打球発射装置に関するものである。
【０００２】
【従来の技術】
従来からパチンコ遊技機の打球発射装置は、駆動アクチュエータとしてロータリーソレノイド、直動ソレノイド、ステッピングモータ、シンクロナスモータ、同期モータ等を用いたものが主流であり、直接的又は間接的に打球杆を所定の規制範囲内で回動又は直動させて打球を発射する構造が公知である。
【０００３】
そして、打球杆４の回動範囲規制のために図３に示すように、打球時における回動規制のための弾性体（通常ゴム製）よりなる回動規制ストッパ１０を設けたホルダ９と、非打球時における位置決めのための弾性体（通常ゴム製）よりなる位置決めストッパ１１を設けたホルダ９をそれぞれ取付け板（図示せず）に設け、上記回動規制ストッパ１０により打球時における打球杆４の回動規制を行い、また、位置決めストッパ１１により非打球時における打球杆４の位置決めを行うようにしたものが一般的である。図３において１は発射部、２は打球、３は打球杆４の先端部に設けた打球部を示している。
【０００４】
しかし近年、パチンコ遊技機の廃却問題及び合理化要望により部品点数の少ない商品が要望されるようになっており、また、市場からの要望としてパチンコ遊技時の振動、衝撃の少ない商品が強く求められている。
【０００５】
更に、打球杆の回転範囲規制のために複数の弾性を有するストッパが備えられているため、パチンコ遊技機製造段階に打球時及び非打球時の打球杆の位置調整の工程が複雑になるという問題がある。
【０００６】
【発明が解決しようとする課題】
本発明は上記の点に鑑みてなされたものであり、発射装置の部品点数を削減し、なおかつ振動、衝撃が遊技者に伝わりにくく、パチンコ遊技機製造時の調整工程を低減できる電動式打球発射装置を提供することを課題とするものである。
【０００７】
【課題を解決するための手段】
上記課題を解決するために本発明に係る電動式打球発射装置は、発射部１に供給された打球２を駆動発射させる打球部３が設けられた打球杆４において、打球時及び非打球時に打球杆４の回転規制を行うそれぞれのストッパ５をへ字状をした一体の部品で構成して該へ字状の一片部５ａを非打球時用ストッパ５ａとすると共にへ字状の他片部５ｂを打球時用ストッパ部５ｄとし、打球杆４に回転中心から打球部３と反対側に当たり用突部１３を突設し、当たり用突部１３の打球時用ストッパ部５ｄと対向する面が打球時用当たり部１４ｂとなり、打球杆４の回転中心からやや打球部３側寄りの部位の非打球時用ストッパ部５ａと対向する面を非打球時用当たり部１４ａとして成ることを特徴とするものである。このように、打球時及び非打球時に打球杆４の回転規制を行うそれぞれのストッパ５をヘ字状をした一体の部品で構成することで、簡単な構成の一つの部品で打球杆４の打球時及び非打球時の回転規制を行うことができて部品点数を削減できることになる。
【０００８】
また、非打球時における打球杆４の位置を変化させることなく、打球時の打球杆４の位置を調整可能なストッパ５を設けることが好ましい。このような構成とすることで、パチンコ遊技機製造段階で一体の部品よりなるストッパ５における打球時の打球杆４の位置調整を行うのみで打球杆４の位置調整ができることになる。
【０００９】
また、ストッパ部５に非打球時用ストッパ部５ｃと打球時用ストッパ部５ｄとを設け、非打球時用ストッパ部５ｃと打球時用ストッパ部５ｄとを弾性体により形成することが好ましい。このような構成とすることで、打球杆４が非打球時用ストッパ部５ｃに当たった場合、打球時用ストッパ部５ｄに当たった場合のいずれの場合にも振動、衝撃を緩和できるものである。
【００１０】
また、打球杆４にストッパ５との当接部分である非打球時用当たり部１４ａ及び打球時用当たり部１４ｂを設け、この非打球時用当たり部１４ａ及び打球時用当たり部１４ｂに弾性体１４ｃを設けることが好ましい。このような構成とすることで、非打球時用当たり部１４ａ及び打球時用当たり部１４ｂに設けた弾性体１４ｃにより非打球時用当たり部１４ａ及び打球時用当たり部１４ｂがストッパ５に当たった際における振動、衝撃を緩和できるものである。
【００１１】
また、ストッパ５を打球杆４の回転中心８に近い位置に配置することが好ましい。このような構成とすることで、打球杆４の動作速度の遅い部分でストッパ５と当接することになって、打球時、非打球時の回転規制の振動、衝撃を緩和できるものである。
【００１３】
【発明の実施の形態】
以下、本発明を添付図面に示す実施形態に基づいて説明する。
【００１４】
図１には本発明の一実施形態が示してある。打球杆４は従来から公知の駆動アクチュエータにより回転中心８を中心にして所定の規制範囲内で回動するように構成してある。この打球杆４の回動規制をするために取付け板（図示せず）に、ストッパ５を設けたホルダ９が取付けてある。ここで、ストッパ５を設けたホルダ９は打球杆４の回転中心８に近い位置に配置してあり、具体的には打球杆４の回転中心８と隙間を介して対向する位置にストッパ５が位置するようにホルダ９を取付けてある。
【００１５】
本発明における打球杆４の回動を規制するためのストッパ５は打球時及び非打球時に打球杆４の回転規制をそれぞれ行うためのものであり、一体となった一つの部品により構成したストッパ５により打球時及び非打球時の回動規制を行うことができるようになっている。ストッパ５は外面側の形状がへ字状をしており、このへ字状をした一片部５ａに非打球時用ストッパ部５ｃが設けてあり、他片部５ｂに打球時用ストッパ部５ｄが設けてある。また、ストッパ５はゴム製等の弾性体により形成してあって、振動、衝撃を緩和できるようにしてある。
【００１６】
一方、打球杆４の先端部には槌先と称する打球部３が設けてあり、打球時に発射部１を構成する発射レール１ａの端部に供給された打球２を打撃するようになっている。打球杆４には回転中心８から打球部３と反対方向に当たり用突部１３が突設してあり、当たり用突部１３の打球時用ストッパ部５ｄと対向する面が打球時用当たり部１４ｂとなっており、また、打球杆４の回転中心８からやや打球部３寄りの部位の非打球時用ストッパ部５ｃと対向する面が非打球時用当たり部１４ａとなっている。
【００１７】
しかして、パチンコ遊戯者が操作ハンドル（図示せず）を握ると、操作ハンドル内のタッチセンサ（図示せず）がオンし、駆動アクチュエータ（図示せず）が所定回転数（１００回転未満／１分間）又は所定パルス（１００パルス未満／１分間）で動作し始める。この運動をカム〜ローラピン等の中間アクチュエータ（図示せず）を介し、あるいは駆動アクチュエータから直接打球杆４に伝え、打球杆４を反復動作させることで打球２を駆動発射させる（制御回路からの打球杆４の詳細動作は省略する）。
【００１８】
打球時には打球杆４の当たり用突部１３に設けた打球時当たり部１４ｂがストッパ５の打球時用ストッパ部５ｄに当たって打球時の回動が規制される。また、非打球時には打球杆４の非打球時当たり部１４ａがストッパ５の非打球時ストッパ部５ｃに当たって非打球時の回動が規制されるものである。ここで、ストッパ５を打球杆４の回転中心８に近い位置に配置してあることで、打球杆４の動作速度の遅い部分でストッパ５と当接することになり、打球時、非打球時の回転規制の振動、衝撃を緩和できることになる。このため、打球杆４、操作ハンドルを介して衝突の振動がパチンコ遊戯者の手に伝わるのを抑制できることになる。
【００１９】
ところで、本発明におけるストッパ５は、非打球時における打球杆４の位置を変化させることなく、打球時の打球杆４の位置を調整可能としてある。すなわち、へ字状をしたストッパ５を取付けたホルダ９には非打球時用ストッパ部５ｃを設けた一片部５ａと平行な長孔１５が設けてあり、この長孔１５にねじ具１６を挿入することでホルダ９を取付け板に取付けてあり、ねじ１６を緩めて長孔１５の長手方向にスライドさせることで、へ字状をしたストッパ５を取付けたホルダ９の取付け位置を調整し、これにより打球杆４の位置調整を行うことができるようになっている。
【００２０】
ここで、へ字状をしたストッパ５の一片部５ａと、長孔１５の長手方向とが互いに平行な関係となっており、したがって、へ字状をしたストッパ５を有するホルダ９を長孔１５の長手方向にスライドさせても打球杆４の非打球時における回動角度は変わらないようになっている。一方、へ字状のストッパ５を有するホルダ９を長孔１５の長手方向にスライドさせた場合、へ字状のストッパ５の他片５ｂと、長孔１５の長手方向とが平行でないので、へ字状をしたストッパ５を有するホルダ９を長孔１５の長手方向にスライドさせると、打球杆４の打球時における回動角度が変わるものである。このため、本発明においては、ねじ１６を緩めて長孔１５の長手方向にスライドさせることで、打球杆４の打球時の位置調整を行い、ねじ１６を締め付けることで、打球杆４の位置調整を行った状態を保持できるものである。
【００２１】
図２には本発明の他の実施形態が示してある。本実施形態においては、打球杆４のストッパ５との当接部分である非打球時用当たり部１４ａ及び打球時用当たり部１４ｂに弾性体１４ｃ（例えばゴム製）を設けたものであり、このように、非打球時用当たり部１４ａ及び打球時用当たり部１４ｂに弾性体１４ｃを設けることで、打球時及び非打球時の回転規制の振動、衝撃をいっそう緩和できるものである。
【００２２】
【発明の効果】
上記のように本発明の請求項１記載の発明にあっては、発射部に供給された打球を駆動発射させる打球部が設けられた打球杆において、打球時及び非打球時に打球杆の回転規制を行うそれぞれのストッパをへ字状をした一体の部品で構成して該へ字状の一片部を非打球時用ストッパとすると共にへ字状の他片部を打球時用ストッパ部とし、打球杆に回転中心から打球部と反対側に当たり用突部を突設し、当たり用突部の打球時用ストッパ部と対向する面が打球時用当たり部となり、打球杆の回転中心からやや打球部側寄りの部位の非打球時用ストッパ部と対向する面を非打球時用当たり部としてあるので、打球時及び非打球時に打球杆の回転規制を行うためのストッパをヘ字状をした簡単な構成の一つの部品でできて発射装置の部品点数を削減でき、安価な電動式打球発射装置を提供できるものである。
【００２３】
また、請求項２記載の発明にあっては、上記請求項１記載の発明の効果に加えて、非打球時における打球杆の位置を変化させることなく、打球時の打球杆の位置を調整可能なストッパを設けてあるので、パチンコ遊技機製造段階で一体の部品よりなるストッパにおける打球時の打球杆の位置調整を行うのみで打球杆の位置調整が簡単に行えるものであり、パチンコ遊技機製造時の調整工程を低減できるものである。
【００２４】
また、請求項３記載の発明にあっては、上記請求項１または請求項２記載の発明の効果に加えて、ストッパ部に非打球時用ストッパ部と打球時用ストッパ部とを設け、非打球時用ストッパ部と打球時用ストッパ部とを弾性体により形成して成してあるので、簡単な構成で打球杆が非打球時用ストッパ部に当たった場合、打球時用ストッパ部に当たった場合のいずれの場合にも振動、衝撃を緩和できて、快適な遊技ができるものである。
【００２５】
また、請求項４記載の発明にあっては、上記請求項１乃至請求項３のいずれかに記載の発明の効果に加えて、打球杆にストッパとの当接部分である非打球時用当たり部及び打球時用当たり部を設け、この非打球時用当たり部及び打球時用当たり部に弾性体を設けるので、簡単な構成で、非打球時用当たり部及び打球時用当たり部に設けた弾性体により非打球時用当たり部及び打球時用当たり部がストッパに当たった際における振動、衝撃を緩和できて、快適な遊技ができるものである。
【００２６】
また、請求項５記載の発明にあっては、上記請求項１乃至請求項４のいずれかに記載の発明の効果に加えて、ストッパを打球杆の回転中心に近い位置に配置してあるので、打球杆の動作速度の遅い部分がストッパに当接することになって、簡単な構成で打球時、非打球時の回転規制の振動、衝撃を緩和でき、振動、衝撃が遊技者に伝わりにくくなって不快感を与えることなく快適に遊技ができるものである。
【図面の簡単な説明】
【図１】本発明の一実施形態の打球杆の回動規制の構造を示す概略説明図である。
【図２】同上の他の実施形態の打球杆の回動規制の構造を示す概略説明図である。
【図３】従来例における打球杆の回動規制の構造を示す概略説明図である。
【符号の説明】
１  発射部
２  打球
３  打球部
４  打球杆
５  ストッパ
【図１】
0004099890.tif 000002
【図２】
0004099890.tif 000003
【図３】
0004099890.tif 000004